(57)【要約】本発明は、差込み体（３）および固定体（２）を有する、媒体をガイドする導管のための差込み接続器（１）であって、前記差込み体（３）に少なくとも１つの接続部が設けられており、前記固定体（２）が、固定方向およびロック解除方向で、第１のストッパ位置と第２のストッパ位置との間で可動に差込み体（３）に支持されている形式のものに関する。前記固定体（２）の中央の係止エレメント（１４）は、前記差込み接続器（１）のロック解除位置のために第１の係止輪郭部（１６）内に移動可能、また前記差込み接続器（１）のロック位置のために第２の係止輪郭部（２２）内に移動可能であり、この場合、前記ロック解除位置に、分離防止手段として、前記固定体（２）の少なくとも１つの別の係止エレメント（４０，４１）が、差込み体（３）に配置された少なくとも１つのストッパ（１８）にロック解除方向で当てつけられていて、前記第１の係止エレメント（１４）が前記第２の係止輪郭部（２２）内に係合するロック位置において、前記第１の係止エレメント（１４）と前記第２の係止輪郭部とが形状結合式の結合部を形成している。【選択図】図１
2014525537.tif 000002
【特許請求の範囲】
【請求項１】
差込み体および固定体を有する、媒体をガイドする導管のための差込み接続器であって、前記差込み体に少なくとも１つの接続部が設けられており、前記固定体が、第１のストッパ位置と第２のストッパ位置との間で、固定方向およびロック解除方向で可動に差込み体に支持されており、前記固定体（２）に配置された係止エレメント（１４）が、前記差込み接続器（１）のロック解除位置のために前記差込み体（３）の第１の係止輪郭部（１６）内に移動可能、また前記差込み接続器（１）のロック位置のために差込み体（３）の第２の係止輪郭部（２２）内に移動可能であり、前記ロック解除位置において前記固定体（２）の少なくとも１つの第２の係止エレメント（４０，４１）が、ロック解除方向で、差込み体（３）に配置された少なくとも１つの段部（１８）に当てつけられている形式のものにおいて、
前記第１の係止エレメント（１４）と前記第２の係止エレメント（４０，４１）とが、１つの共通の係止アーム（１１）に配置されていることを特徴とする、媒体をガイドする導管のための差込み接続器。
【請求項２】
ロック解除位置に配属された前記第１の係止輪郭部（１６）は、該係止輪郭部（１６）の、前記固定体（２）の運動方向で見た幅が、前記第１の係止エレメント（１４）の対応する幅よりも大きい寸法を有するように構成されていることを特徴とする、請求項１に記載の差込み接続器。
【請求項３】
前記ロック解除位置において、前記固定体（２）の前記第１の係止エレメント（１４）がロック方向の当接側で以って、前記第１の係止輪郭部（１６）の、前記第２の係止輪郭部（２２）側の制限面に当てつけられることによって、反対方向で前記第１の係止エレメント（１４）と、前記第１の係止輪郭部（１６）の、前記第２の係止輪郭部（２２）とは反対側の別の制限面との間に、自由室（２０）が残存することを特徴とする、請求項２に記載の差込み接続器。
【請求項４】
前記第２の係止輪郭部（２２）が前記第１の係止エレメント（１４）に関連して相補的に形成されていることによって、前記第１の係止エレメント（１４）が前記第２の係止輪郭部（２２）内に係合するロック位置において、前記第１の係止エレメント（１４）と前記第２の係止輪郭部（２２）とが形状結合式の結合部を形成することを特徴とする、請求項１から３のいずれか１項に記載の差込み接続器。
【請求項５】
前記固定体（２）が、カバー部分（１０）から突き出して互いに平行に間隔を保って延在する２つのアーム（１１，１２）を有しており、一方のアームがばね弾性的な係止アーム（１１）として構成されていて、該係止アーム（１１）に係止エレメント（１４；４０，４１）が一体成形されており、これに対して他方のアームが剛性に構成されたガイドアーム（１２）として用いられることを特徴とする、請求項１から４のいずれか１項に記載の差込み接続器。
【請求項６】
前記係止輪郭部（１６，２２）と少なくとも１つの前記段部（１８）とが、前記係止アーム（１１）を支持するために設けられた、前記差込み体（３）の当接側（１７）に形成されていることを特徴とする、請求項１から５のいずれか１項に記載の差込み接続器。
【請求項７】
少なくとも１つの前記段部（１８）が、前記固定体（２）の運動方向に対して直交する横方向で、前記第１の係止輪郭部（１６）に対して側方にずらして、前記差込み体（３）の前記当接側（１７）に配置されていることを特徴とする、請求項６に記載の差込み接続器。
【請求項８】
ロック解除方向で前記固定体（２）の前記カバー部分（１０）に面した、前記第２の係止エレメント（４０，４１）の当接面（３２）が、差込み体（３）の少なくとも１つの段部（１８）の、ロック方向に向いた面に形状結合式に当接していることを特徴とする、請求項５から７のいずれか１項に記載の差込み接続器。
【請求項９】
前記係止輪郭部（１６，２２）がそれぞれ、前記差込み体（３）の前記当接側（１７）の係止溝として形成されている、請求項１から８のいずれか１項に記載の差込み接続器。
【請求項１０】
２つの段部（１８）が設けられており、これらの段部（１８）がそれぞれ、前記第１の係止輪郭部（１６）の側方に配置されており、前記２つの段部のいずれにも、それぞれ１つの第２の係止エレメント（４０，４１）が配属されており、前記２つの第２の係止エレメント（４０，４１）が、前記固定体（２）の前記係止アーム（１１）の端部で前記第１の係止エレメント（１４）の両側に配置されていることを特徴とする、請求項１から９のいずれか１項に記載の差込み接続器。
【発明の詳細な説明】
【技術分野】
【０００１】
本発明は、請求項１の前文に記載した、媒体をガイドする導管のための、固定体および差込み体を有する差込み接続器に関する。
【背景技術】
【０００２】
このような形式の差込み接続器は、例えば燃料噴射装置若しくは燃料戻し導管に使用され、または液圧導管内にも使用される。このために、このような形式の差込み接続器は、媒体をガイドする導管を接続するための導管接続部を有している。燃料噴射装置に使用する場合、このような形式の差込み接続器の差込み体にさらに、燃料噴射弁を接続するための接続部が設けられている。差込み体を噴射弁の接続部に固定若しくは係止するかまたは差込み体を再び取り外すために、このような形式の差込み接続器は、固定体を有しており、この固定体は差込み体に可動に支持されていて、固定体のロック解除された位置において噴射弁は差込み体に固定されておらず、これに対して固定体のロック位置において、噴射弁は差込み体の接続部に確保若しくは固定されている。
【０００３】
特許文献１によれば、媒体をガイドする導管、例えば内燃機関の燃料導管または液圧導管のための差込み接続器が公知であり、この差込み接続器は、媒体をガイドする導管のための導管接続部および構成部材例えば燃料噴射弁を取り付けるための接続部を備えた差込み体と、スリーブ状の固定体とから構成されている。差込み体は係止舌片を介して構成部材例えば噴射弁に形状結合式に結合可能である。係止舌片を固定するために、スリーブ状の固定体が係止舌片上に移動可能であり、構成部材は係止フックによって固定可能である。例えば液圧導管の運搬中にスリーブ状の固定体が外れることは、差込み体と、この差込み体をほぼ完全に包囲するスリーブ状の固定体との間の解除不能な形状結合式の結合部によって阻止される。これは、２成分射出成形製造法により可能であり、この製造法によって差込み接続器が製作され、この場合、差込み体とスリーブ状の固定体とは、２つの異なる材料より形成されていて、スリーブ状の固定体が差込み体のための成形工具を形成しているので、差込み体は、スリーブ状の固定体内に分離不能に収容されている。
【先行技術文献】
【特許文献】
【０００４】
【特許文献１】ドイツ連邦共和国特許公開第１０２４０１３０号明細書
【発明の概要】
【０００５】
請求項１に記載された特徴を有する差込み接続器は、本発明による差込み接続器のロック解除位置もロック位置も係止位置として形成されていて、これらの係止位置に固定体が相応の係止エレメントによって係止される、という利点を有している。つまり、ロック解除位置はさらに、所属の係止輪郭部の他に少なくとも１つの追加的な段部が差込み体に配置されていて、この段部が固定体の別の係止エレメントのためのストッパとして用いられることを特徴としていることによって、本発明によれば、固定体が差込み体に分離不能に支持されていることが保証される。２成分射出成形法により製造されていることに基づいて固定体が差込み体を分離不能に包囲している、背景技術により公知の差込み接続システムとは異なり、本発明による差込み接続器によれば、一方では第１の係止エレメントとロック解除位置に配属された第１の係止輪郭部、他方では少なくとも１つの別の係止エレメントとロック解除位置に配属された段部が協働するように構成されていることで、差込み体に支持された固定体の別の係止エレメントがロック解除位置を越えてロック解除方向へ移動せしめられることがないようになっていることによって、分離不能機能が満たされている。これによって、本発明によれば、固定体と差込み体との間の結合が不意に解除されることは阻止され、従って差込み体において固定体を分離不能に支持することができる。本発明の差込み接続器においてはさらに、個別の構成部材、つまり差込み体および所属の固定体が、互いに別個に、ひいては安価に製造することができるので、構成部材の複雑な幾何学形状も、個別の構成部材のために異なる材料を使用することによって技術的に実現可能である。
【０００６】
本発明による差込み接続器のその他の好適な変化実施例および実施態様は、従属請求項に記載した手段によって得られる。
【図面の簡単な説明】
【０００７】
【図１】固定体が所属の差込み体において、ロック解除位置に相当する第１の係止位置で支持されている、固定体および所属の差込み体を有する本発明による差込み接続器の斜視図である。
【図２】固定体が所属の差込み体において、ロック位置に相当する第２の係止位置に支持されている、本発明による差込み接続器の斜視図である。
【図３】固定体の係止アームの端部に、第１の係止エレメントと、この第１の係止エレメントの側方に配置された、固定体に係止するために用いられる２つの第２の係止エレメントとが一体成形されている、本発明による差込み接続器の固定体の実施例の一部の斜視図である。
【発明を実施するための形態】
【０００８】
本発明の実施例を以下の記載および添付の図面を用いて詳しく説明する。図面は概略図を示す。
【０００９】
図１は、全体が符号１で示された本発明による差込み接続器の部分を斜視図で示している。この差込み接続器１は、固定体２および差込み体３を有しており、固定体２は差込み体３に、差込み接続器がロック解除状態にある第１の係止位置において支持されている。差込み体３には、つば面６から側方に突き出して構成された導管接続部４が取りつけられており、この導管接続部４はその自由端部５に、フレキシブルな管状の導管の被せ嵌め若しくは差し嵌めを容易にするための円錐形面７を有している。この場合、つば面６は、導管接続部４に被せ嵌められた導管区分のための限界ストッパとして用いられる。差込み体３には、図示していない第２の導管接続部が設けられており、この第２の導管接続部は、導管接続部４とは反対側で差込み体３に一体成形されていて、第１の導管接続部４と、円形の導管横断面を有する貫通開口若しくは貫通路１９を介して接続されており、さらに構成部材例えば燃料噴射弁の接続部のための図示していない構成部材接続部が設けられている。
【００１０】
差込み体３は、つば面６の、導管接続部４とは反対側に、貫通路１９によって貫通された構造部８を有しており、この構造部８に固定体２が摺動可能に支持されている。固定体２を支持するために、構造部８は一方の側面１７に第１および第２の係止輪郭部１６，２２を有しており、第１の係止輪郭部１６は、側面１７に投影された貫通路１９の上に配置され、第２の係止輪郭部２２は側面１７に投影された貫通路１９の下に配置されている。
【００１１】
固定体２はカバー部分１０を有しており、このカバー部分１０に２つのアーム１１，１２が互いに間隔を保って一体成形されていて、これらのアーム１１，１２は、カバー部分１０に対して垂直に延在している。この場合、第１のアームはばね弾性的な係止アーム１１として形成されていて、第２のアームは剛性に形成されたガイドアーム１２として機能する。固定体２の２つのアーム１１，１２間の内法間隔は、構造部８の側方寸法に相当する。構造部８の側方寸法は、係止輪郭部１６，２２を備えた側面１７と、この側面１７とは反対側の側面との間の間隔によって規定されているので、固定体２の両係止位置において固定体２のアーム１１，１２が、それぞれ構造部８の側面１７およびこの側面１７の反対側の側面に当接する。係止アーム１１の、カバー部分１０とは反対側の端部で、ガイドアーム１２に面した係止アーム１１の側に第１のフック状の係止エレメント１４が形成されている。本発明による差込み接続器１のロック解除された状態で、固定体２の第１の係止エレメント１４が、係止輪郭部として構成された第１の係止溝１６内に係合する。この第１の係止溝１６は、差込み体３の構造部８の側面１７の上部領域内に配置されており、これに対して構造部８の反対側の側面にはガイドアーム１２が当接している。固定体の係止アーム１１の端部に、第１の係止エレメント１４に対して垂直に、第２の係止エレメント４０が一体成形されていることにより、第２の係止エレメント４０は、差込み体３に固定体２を規定通りに組み付ける際に、差込み体３のつば面６に面した側で、ロック解除位置で形状結合（形状による束縛）式に段部１８に下から係合する。この段部１８は、構造部８の側面１７に突き出して一体成形されていて、つば面６と第１若しくは上方の係止溝１６との間に延在する。
【００１２】
係止溝１６の幅は、垂直方向で見て、係止エレメント１４の垂直方向の幅よりも大きい寸法を有しているので、係止位置において係止エレメント１４の下側が上方の係止溝１６の下側に当接し、これに対して第２の係止エレメント４０はその平らな上側３２が当接面として、側面１７から突き出す段部１８の下側に形状結合式に当接し、この際に、第１の係止エレメント１４の上側と、この上側に面した係止溝１６の上側との間に自由室２０が残存する。これによって、差込み体３に対して相対的な固定体２の上方に向かう垂直上方運動時に、固定体２が不意に差込み体３から解除されることはない。何故ならば、段部１８に当接された第２の係止エレメント４０が、上方運動を阻止し、ひいては固定方向に抗して自由室２０を通過する垂直方向ストロークをロックすることによって、固定体２が差込み体３から解除されるために必要な、第１の係止エレメント１４を側方に変位させると共に係止アーム１１を相応に外方に拡開させるための、上方の係止溝１６の上側における可能な支持点が第１の係止エレメント１４に存在しなくなるからである。
【００１３】
図２には、やはり本発明による差込み接続器１の一部が斜視図で示されており、この場合、固定体２が差込み体３における第２若しくは下方の係止位置に存在する。この第２の係止位置は差込み接続器１のロック位置に相当する。このロック位置を得るために、固定体２は図１に示したロック解除位置から固定方向若しくはロック方向で垂直方向下方に押圧される。固定体２のカバー部分１０上に加えられた押圧力に基づいて、係止アーム１１は第１の係止溝１６から解除される。次いで行われる、差込み体３の構造部８に沿った固定体２の下方運動は、第１の係止エレメント１４が、構造部８の別の係止輪郭部として構成された第２の若しくは下方の係止溝２２内に形状結合式に係合し、この係止溝２２内に係止することによって、終了する。この第２の係止溝２２は、第１の係止溝１６に対して垂直方向で間隔を保って差込み体３の構造部８の同じ側面１７に設けられていて、第１の係止エレメント１４に対する対抗輪郭部としてこの第１の係止エレメント１４に対して相補的に構成されている。つまり係止溝２２は、第１の係止エレメント１４が第２の係止溝２２内に係止すると、垂直方向の自由室が事実上まったく残存しないように、第１の係止エレメント１４の大きさ及び形状に適合されている。第２の係止エレメント４０は、このロックされた位置では非作動状態にある。
【００１４】
図３は、本発明による差込み接続器１の固定体２を下から見た部分的な斜視図を示す。係止アーム１１および、この係止アーム１１に対して平行に配置されたガイドアーム１２は、カバー部分１０の下側に一体成形されていて、そのそれぞれの長手方向の延在方向で、カバー部分１０の下側に対して垂直に延在している。カバー部分１０の下側から遠い方の、係止アーム１１の端部において、第１の係止エレメント１４は、係止アーム１１の、ガイドアーム１２に面した側に一体成形されている。図３に示されているように、第１の係止エレメント１４は、ほぼ台形の横断面を有する突起として構成されており、この場合、下側５０と上側５１とは、それぞれ傾斜面として構成されていて、これらの傾斜面５０，５１は、係止アーム１１の長手方向に対して垂直かつ平行に延在する当接面５２によって互いに結合されている。これによって、２つの係止溝１６，２２内への係止も、係止溝１６，２２からの解除も容易になる。さらに、ロック位置のために、つまり第１の係止エレメント１４が下方の係止溝２２内に係止すると、形状結合式の結合が得られる。何故ならば、係止溝２２の下側も上側も、係止エレメント１４の傾斜面５０，５１と同じ傾斜角を有する傾斜面として構成されていて、これらの傾斜面が傾斜部として、ロック位置において第１の係止エレメント１４の当接面５２に面した、垂直に延在する係止溝内側面を介して互いに接続されていることによって、第１の係止エレメント１４の形状に対して相補的に構成されているからである。この傾斜部に基づいて、係止溝２２は開度を有しているので、この係止溝の垂直方向の幅は、第１の係止エレメント１４の係止および係止解除を補助するために外方に向かって連続的に広がっている。これに対して、上方の係止溝１６はその下側の制限部においてのみ傾斜を有しており、従って、係止溝１６の垂直方向の幅は、ロック位置から到来する固定体２の係止およびロック方向に向かっての係止解除を容易にするために、外方に向かって連続的に広がっており、これに対して係止溝１６の上縁部は図示の実施例では係止溝１６の内側に対して直角に配置されている。
【００１５】
図３に示した固定体２の実施例では、２つの第２の係止エレメント４０，４１が設けられており、これらの係止エレメント４０，４１は、第１の係止エレメント１４の両側において係止アーム１１の自由端部に、それぞれ直角につまり第１の係止エレメント１４に対して９０°ずらして一体成形されている。２つの係止エレメント４０，４１は、係止突起として同じ大きさおよび形状で構成されていて、３角形の横断面を有しており、この場合、２つの係止エレメント４０，４１はそれぞれ、カバー部分１０に面していてこのカバー部分１０に対して平行に延在しているそれぞれ１つの当接面３２と、係止アーム１１の自由端部に向かって延在する傾斜面３０とを有している。本発明による差込み接続器１のこの実施例において、固定体２の係止アーム１１に設けられた、第１の係止エレメント１４の両側に位置する２つの係止突起４０，４１に、固定体３の構造部８に一体成形された突起する２つの段部１８が対応配置されており、これらの段部１８は第１の係止溝１６の側方に位置する。
【００１６】
本発明による差込み接続器１を組み立てるために、固定体２が２つのアーム１１，１２で以って上方から固定体３の構造部８に載せられることによって、係止アーム１１の端部に配置された中央の係止エレメント１４が、構造部８の上縁部領域に位置する傾斜部２１上に載り、これに対してガイドアーム１２は、構造部８の、側面１７とは反対側の側面に当接する。次いで、固定体２は垂直下方に、つまり固定方向に移動せしめられ、この際に、非弾性的若しくは剛性に構成されたガイドアーム１２が、このガイドアーム１２に面した、構造部８の側面に沿って下方に滑動し、傾斜部２１に沿った下方への下降運動中に、まず外方へ拡開若しくは変位せしめられ、ガイドアーム１２とは異なりばね弾性的に構成された係止アーム１１が、上方の係止溝１６の高さに達し、ここで上方の係止溝１６内に係止してスナップ係合するまで、さらに下方へ下降運動する。固定方向にさらに下降運動することによって、中央の係止エレメント１４が係止溝１６内の自由室２０を克服し、その下側の傾斜面５０が、傾斜面として構成された、係止溝１６の下側の制限部に当接する。この位置において、中央の係止エレメント１４に対して９０°側方にずらして配置された第２の係止エレメント４０は、上方の係止溝１６の隣に配置された段部１８の下側で垂直位置に達し、この垂直位置において、係止エレメント４０はその、カバー部分１０に面した上側３２が、段部１８の下側と密着して同一平面を形成し、段部１８と形状結合を形成する。この位置は、図１に示したロック解除位置に相当する。
【００１７】
図１に示されたロック解除位置から、固定体２のカバー部分１０に新たに加えられた圧力によって、第１若しくは中央の係止エレメント１４が側方で外方に変位せしめられる。この係止位置からの変位は、この変位運動時に、傾斜面として構成された、中央の係止エレメント１４の下側５０が上方の係止溝１６の下側の制限部を形成する傾斜面に沿って滑動し、この際に係止アーム１１が側方に拡開することによって、容易にされる。カバー部分１０にさらに圧力が加えられると、差込み体３の構造部８に沿った固定体２の垂直方向の下降運動、つまり固定方向若しくはロック方向の運動が行われ、この際に、非弾性的なガイドアーム１２が、材料節約のために設けられた切欠２４によって中断された側面に沿って滑動し、係止アーム１１は拡開された位置において、中央の係止エレメント１４が下方の係止溝２２内に達し、ここでスナップ式に係合して係止するまで、反対側の側面１７に沿って滑動し、この際に、係止アーム１１は、外方に拡開された位置から戻り旋回して、側面１７に密着して側面１７と同一面を形成する。この位置は、図２に示したロック位置に相当する。このロック位置において同時に、図面に示されていない補助機能によって、同様に図示されていない噴射弁本体が本発明による差込み接続器１に固定若しくは係止されている。
【００１８】
この図２に示したロック位置において、固定体２が差込み体３に対して相対的に上方へ、つまりロック解除方向へ引き出されると、中央の係止エレメント１４は下方の係止溝２２から、固定体の運動方向に対して直交する横方向で外方に変位せしめられる。この変位運動は、この場合、傾斜面として構成された、中央の係止エレメント１４の上側５１が、下方の係止溝２２の上側の制限部を形成する傾斜面に沿って次第にゆっくりと上方へ滑動することによって容易にされ、この際にやはり係止アーム１１の側方の拡開が行われ、これによってロックされた位置が解除され、固定体２は、中央の係止エレメント１４が上方の係止溝１６内にスナップ係合して係止するまで、ロック解除方向で上方に滑動する。図１のロック解除位置に相当する、この位置において同時に、第２の係止エレメント４０の上方に向いた当接面３２が、構造部８の側面１７から突き出して一体成形された段部１８の、垂直下方に向いた下側に当接することによって、固定体２が不都合にさらに上方運動し、ひいては固定体２が不意に外れることは阻止される。何故ならば、段部１８が第２の係止エレメント４０と協働してロック解除方向へのさらなる上方運動をロックするので、第１の係止エレメント１４の上側５１と上方の係止溝１６の隣接する上側との間に垂直方向に存在する自由室２０に基づいて、第１の係止エレメント１４と係止溝１６の上側の制限部との接触は阻止されており、従って中央の係止エレメント１４が側方に変位するための上方の支持点が、第１の係止エレメント１４に存在しないからである。従って、第２の係止エレメント４０がその当接面３２を介して、突起する段部１８と形状結合式に結合する結合部は、分離防止手段として働く。この位置において、図面に示されていない補助機能によって、同様に図面に示されていない噴射弁本体と差込み接続器１との間の結合は解除されている。
【００１９】
従って、本発明による差込み接続器１の（所望の）取り外しは、ロック解除位置において、係止アーム１１が手動操作により、固定体２の規定通りの運動方向に対して直交する横方向で側方に引っ張られることによって、そのロック位置から解除され、それと同時に固定体２が上方移動方向つまりロック解除方向で差込み体３から引き離されることによって、可能である。
【００２０】
中央の係止エレメント１４の他に、この係止エレメント１４に対してそれぞれ９０°側方にずらして横に配置された全部で２つの係止エレメント４０，４１が設けられている、本発明による差込み接続器１の選択的な実施例は、差込み接続器１のロック解除された位置において２つの係止エレメント４０，４１がそれぞれ２つの段部１８と形状結合式の結合部を形成しており、これらの段部１８がそれぞれ、上方の係止溝１６の（固定体の規定通りの運動方向に対して直交する横方向で見て）横隣で側面１７に一体成形されているので、（１つだけの第２の係止エレメント４０を有している第１実施例とは異なり）係止エレメント４０，４１が、それぞれ構造部８の側面１７に対応配置された対抗輪郭部１８として構成された段部に当接したときに、係止エレメント４０，４１において発生する横方向力が事実上最小化される、という利点を有している。
【００２１】
従って、要約すれば、本発明による差込み接続器１の特徴は、固定体２の中央の係止エレメント１４が、差込み接続器１のロック解除位置のために第１の係止輪郭部１６に移動可能であり、また差込み接続器１のロック位置のために第２の係止輪郭部２２に移動可能であり、この場合、ロック解除位置においては、固定体２の少なくとも１つの別の係止エレメント４０，４１が分離防止手段として、差込み体３に配置されたストッパ１８にロック解除方向で当接し、ロック位置においては、第１の係止エレメント１４が第２の係止輪郭部２２に係合すると、第１の係止エレメント１４と第２の係止輪郭部とが形状結合式の結合部を形成する、という点にある。
【符号の説明】
【００２２】
１  差込み接続器
２  固定体
３  差込み体
４  導管接続部
５  自由端部
６  つば面
７  円錐形面
８  構造部
１０  カバー部分
１１  係止アーム
１２  ガイドアーム
１４  係止エレメント
１６  第１の係止輪郭部、係止溝
１７  側面、当接側
１８  段部、対抗輪郭部、ストッパ
１９  貫通路
２１  傾斜部
２２  第２の係止輪郭部、係止溝
２４  切欠
３０  傾斜面
３２  上側、当接面
４０，４１  第２の係止エレメント、係止突起
５０  下側
５１  上側
５２  当接面
【図１】
2014525537.tif 000003
【図２】
2014525537.tif 000004
【図３】
2014525537.tif 000005
【国際調査報告】
2014525537.tif 000006
2014525537.tif 000007
2014525537.tif 000008
2014525537.tif 000009
2014525537.tif 000010
2014525537.tif 000011